(57)【特許請求の範囲】
【請求項１】
天井に据え付けるパネルであって、前記パネルを天井に固定するパネル据付手段と、前記パネル据付手段を前記パネルに固定する据付手段固定部と、前記据付手段固定部には据付手段固定部引掛爪を形成し、パネルには前記据付手段固定部引掛爪と空間をもって配置した引掛爪を備え、前記パネルに設けたボスにネジで固定した前記据付手段固定部が外れたときに前記据付手段固定部引掛爪を引掛爪で受け止める落下防止手段を形成したパネル構造。
【請求項２】
パネル据付手段が２又状で外方に開き勝手の開閉自在なスプリングであることを特徴とする請求項１記載のパネル構造。
【請求項３】
パネル据付手段が据付手段固定部を介してパネルに取り付くことを特徴とする請求項１または２記載のパネル構造。
【請求項４】
スプリングの開閉自在となる支点はリング形状となし、据付手段固定部が前記リング形状を貫通する形状であることを特徴とする請求項２または３記載のパネル構造。
【請求項５】
据付手段固定部の先端を折曲して、パネル据付手段を結合して取り付けたことを特徴とする請求項４記載のパネル構造。
【請求項６】
スプリングは開き勝手の弾性力で、天井に取り付けた機器本体側に設けた孔状の係合部に係合し、前記スプリングを固定する据付手段固定部と落下防止手段をパネルの天井側面に備え、前記据付手段固定部の鉛直上部に前記落下防止手段を配置したことを特徴とする請求項２〜５のいずれかに記載のパネル構造。
【請求項７】
据付手段固定部はＴ字の形状であり、３カ所の先端部に設けたボス固定用穴をネジで固定するとともに、落下防止手段は、前記Ｔ字の２ヶ所で引っかかるように配置したことを特徴とする請求項１〜６のいずれかに記載のパネル構造。
【請求項８】
パネル据付手段が少なくとも２以上備えたことを特徴とする請求項１〜７のいずれかに記載のパネル構造。
【請求項９】
落下防止手段はパネルに設けた引掛け爪であり、据付手段固定部の鉛直上部に前記落下防止手段を少なくとも２以上備えたことを特徴とする請求項１〜８のいずれかに記載のパネル構造。
【発明の詳細な説明】
【技術分野】
【０００１】
本発明は、天井面に設置して室内の空調を行なう空気調和装置のパネル構造に関する。
【背景技術】
【０００２】
従来、この種の空気調和装置パネル構造の一例として天井面に設置して空調を行なうミスト装置のパネル構造が知られている（例えば、特許文献１参照）。
【０００３】
以下、そのミスト装置について図６を参照しながら説明する。図に示すように、循環ファン１０１や可動ルーバー１０２を備えた装置本体１０３を覆うグリル板１０４が設けられ、装置本体１０３は本体ケーシング１０３ａ内に多数の桟１０５ａを設けた吸気口１０５を通して室内の空気を吸引し、吹き出し口１０６を通して空気を吹き出すための循環通風路１０７と、循環通風路１０７に対して通風作用をする循環ファン１０１と、循環通風路１０７を通風する空気を加熱する熱交換器１０８と、吹き出し口１０６を通して吹き出される空気の吹き出し方向を可変する可動ルーバー１０２と、室内の空気を吸引して排気ダクト１０９を通して屋外に排気する換気ファン１１０等の空調手段を設け構成しており、グリル板１０４は複数の例えばネジ等のパネル固定手段１１２により天井１１１を介して装置本体１０３に固定された構成としていた。
【０００４】
また、この種の空気調和装置のパネル構造は種々あるが、樹脂のパネルを使用した場合経年的な要因、溶剤的な要因、応力等の要因等数々の要因によりパネルを固定する箇所にクラックがはいり落下する可能性があるという課題があり、様々なパネル落下の抑制手段がとられている。一例として壁面に設置して空調を行なう換気扇が知られている（例えば、特許文献２参照）。
【０００５】
以下、その換気扇について図７を参照しながら説明する。図に示すように、本体枠１１３には摺動プレート１１４がスライド可能に設けられており、摺動プレート１１４がスライドすると、パネル１１５が一体的に移動し、吸込口１１６が開閉される。一方、摺動プレート１１４のネジ固定部１１７を通してボス部１１８にネジ１１９を締め込むことに伴いパネル１１５が摺動プレート１１４に接続されているため、ボス部１１８が破損した場合パネル１１５の引掛け部１２０が摺動プレート１１４のネジ固定部１１７により下方に支えられ、摺動プレート１１４の突部１２１に係合するので、パネル１１５の脱落が阻止されるものであった。
【先行技術文献】
【特許文献】
【０００６】
【特許文献１】特開２００２−３３６３２７号公報（［０００１］〜［００２３］、図５）
【特許文献２】特開平１０−２４６４７８号公報（［０００２］〜［００３６］、図１）
【発明の概要】
【発明が解決しようとする課題】
【０００７】
このようなミストサウナのパネル構造では、グリル板１０４が天井１１１に接する構造であるため、天井１１１とグリル板１０４との隙間が場所によっては微妙に異なる場合、隙間の不均一が目立ち、調整しなければならなく、このため必要以上にパネル固定手段１１２であるネジを締めすぎることによる応力がパネル１０４のネジ接触部にかかることにより応力クラックが発生しパネル１０４が落下する危険性があるという課題があり、パネル１０４が落下しない構造とすることが要求されている。
【０００８】
また、従来のパネル落下防止構造では、パネル１１５の引掛け部１２０が摺動プレート１１４のネジ固定部１１７により支えられ、摺動プレート１１４の突部１２１に係合するため、ボス部１１８が破損した場合でも表面上ではボス部１１８の破損したことがわかり難く、結果そのまま使用しつづけ引掛け部１２０または突部１２１が破損した時にパネル１１５が落下する課題があり、ボス部の破損等不具合が生じた時に表面上わかり易いパネル落下防止構造であることが要求されている。
【０００９】
本発明は、このような従来の課題を解決するものであり、クラック等により表面のグリル板が落下することを抑制する構造であるとともに、ボス部等クラックが入った段階で使用者に異常を知らしめることができるパネル構造を提供することを目的としている。
【課題を解決するための手段】
【００１０】
本発明のパネル構造は上記目的を達成するために、天井に据え付けるパネルであって、前記パネルを天井に固定するパネル据付手段と、前記パネル据付手段を前記パネルに固定する据付手段固定部と、前記据付手段固定部には据付手段固定部引掛爪を形成し、パネルには前記据付手段固定部引掛爪と空間をもって配置した引掛爪を備え、前記パネルに設けたボスにネジで固定した記据付手段固定部が外れたときに前記据付手段固定部引掛爪を引掛爪で受け止める落下防止手段を形成したものである。
【００１１】
この手段により、据付手段固定部がクラック等により外れても落下防止手段によりパネルを受けとめることができるとともにパネルが落下防止手段まで移動して支えられるためパネルの異常に気づくことができるパネル構造が得られる。
【００１２】
また、パネル据付手段が２又状で外方に開き勝手の開閉自在なスプリングであるものである。
【００１３】
この手段によりパネル固定が容易なパネル構造が得られる。
【００１４】
また、パネル据付手段が据付手段固定部を介してパネルに取り付くものである。
【００１５】
この手段により、パネル据付手段からの張力を据付手段固定部に分散することができるパネル構造が得られる。
【００１６】
また、スプリングの開閉自在となる支点はリング形状となし、据付手段固定部が前記リング形状を貫通する形状であるものである。
【００１７】
この手段により、パネル据付手段が移動自在になるパネル構造が得られる。
【００１８】
また、据付手段固定部の先端を折曲して、パネル据付手段を結合して取り付けたものである。
【００１９】
この手段により、パネル据付手段を容易に、かつ、外れにくく取り付けることができる。
【００２０】
また、スプリングは開き勝手の弾性力で、天井に取り付けた機器本体側に設けた孔状の係合部に係合し、前記スプリングを固定する据付手段固定部と落下防止手段をパネルの天井側面に備え、前記据付手段固定部の鉛直上部に前記落下防止手段を配置したものである。
【００２１】
この手段により、据付手段固定部がクラック等により破損しても落下防止手段により受け止めることができるパネル構造が得られる。
【００２２】
また、据付手段固定部はＴ字の形状であり、３カ所の先端部に設けたボス固定用穴をネジで固定するとともに、落下防止手段は、前記Ｔ字の２ヶ所で引っかかるように配置したものである。
【００２３】
この手段により、パネル据付手段から据付手段固定部にかかる張力を、据付手段固定部とパネルを固定している箇所には分散されて力がかかるというパネル構造が得られる。
【００２４】
また、パネル据付手段が少なくとも２以上備えたものである。
【００２５】
この手段により、片側の据付手段固定部あるいはパネル据付手段が欠損しても、パネルが天井より落下しないパネル構造が得られる。
【００２６】
また、落下防止手段はパネルに設けた引掛け爪であり、据付手段固定部の鉛直上部に前記落下防止手段を少なくとも２以上備えたものである。
【００２７】
この手段により、据付手段固定部とパネルの結合部が外れても２以上の引掛け爪により確実に落下防止手段に受けとめることができるパネル構造が得られる。
【発明の効果】
【００２８】
本発明によれば、パネルの据付結合部が破損してもパネルが落下しないとともにパネルの異常に気づくことができるという効果のあるパネル構造を提供できる。
【００２９】
また、パネルの天井等への取付けが容易にでき、またパネル取付時にネジ締めがいらないため特別な工具を必要としないという効果のあるパネル構造を提供できる。
【００３０】
また、パネルと天井との引張張力が分散されてパネルに伝わるという効果のあるパネル構造を提供できる。
【００３１】
また、パネル据付手段が可動なため、パネル取付時にパネルを移動させながら取り付けることができ、パネル取付作業の自由度が増すことによる施工が容易になるという効果のあるパネル構造を提供できる。
【００３２】
また、据付手段固定部の先端を折曲して、パネル据付手段を結合して取り付けたので、パネル据付手段を容易に、かつ、外れにくく取り付けることができるという効果のあるパネル構造を提供できる。
【００３３】
また、据付手段固定部が破損した時、パネルが落下防止手段である引掛け部まで移動して支えられるため、明らかに破損していることがわかる状態でパネルは保持されることにより、使用者がパネルの異常を認識することができ、パネル落下による怪我等を抑制することができる効果のあるパネル構造を提供できる。
【００３４】
また、３点留めとなることで据付手段固定部の安定性が増し、また応力が分散されるため応力クラックの入りづらい効果があるとともに、落下防止手段は、前記Ｔ字の２ヶ所で引っかかるように配置したものであるので、据付手段固定部が落下防止手段に引っかかることによりパネルは不安定な状態で保持されることとなり、使用者が容易にパネルの異常に気づくことができるパネル構造が提供できる。
【００３５】
また、据付手段固定部を２以上揃えたことにより、パネル設置時の安定性・応力集中を軽減でき、据付手段固定手段が破損しても引掛けつめにより確実にパネル落下は阻止される効果を持つパネル構造を提供できる。
【００３６】
また、落下防止手段を２以上揃えたことにより据付手段固定具が破損してもパネルが複数の引掛けつめに受け止められることによりパネル落下阻止の安定性が確保される効果を期待できるパネル構造が提供できる。
【図面の簡単な説明】
【００３７】
【図１】本発明実施の形態のパネル構造を示す斜視図
【図２】同パネル構造の据付手段固定部を示す斜視図
【図３】同パネル構造の設置状態を示す側面図
【図４】同パネル構造の空気調和機との関係を示す斜視図
【図５】同パネル構造の設置を示す断面図
【図６】従来のパネル構造を示す断面図
【図７】従来の換気扇を示す断面図
【発明を実施するための形態】
【００３８】
本発明の請求項１記載の発明は、天井に据え付けるパネルであって、前記パネルを天井に固定するパネル据付手段と、前記パネル据付手段を前記パネルに固定する据付手段固定部と、前記据付手段固定部には据付手段固定部引掛爪を形成し、パネルには前記据付手段固定部引掛爪と空間をもって配置した引掛爪を備え、前記パネルに設けたボスにネジで固定した前記据付手段固定部が外れたときに前記据付手段固定部引掛爪と引掛爪とで受け止める落下防止手段を形成したものであり、パネルの据付結合部が破損してもパネルが落下を阻止することができるとともに、パネルには前記据付手段固定部引掛爪と空間をもって配置した引掛爪を備えているので、パネルが落下防止手段まで移動して支えられるため、パネルの異常に気づくこととなるという作用を有する。
【００３９】
また請求項２記載の発明は、パネル据付手段が２又状で外方に開き勝手の開閉自在なスプリングであるものであり、パネルの天井等への取付けが容易にでき、パネル取付時にネジ締めがいらないため特別な工具を必要とせずにパネルの取り付けることができるという作用を有する。
【００４０】
また請求項３記載の発明は、パネル据付手段が据付手段固定部を介してパネルに取り付くものであり、パネルと天井との引張張力が分散されてパネルに伝わるため耐久性に優れたパネルの取り付けができるという作用を有する。
【００４１】
また請求項４記載の発明は、スプリングの開閉自在となる支点はリング形状となし、据付手段固定部が前記リング形状を貫通する形状であるものであり、パネル据付手段が可動となり、パネル取付時にパネルを移動させながら取り付けることができるという作用を有する。
【００４２】
また請求項５記載の発明は、据付手段固定部の先端を折曲して、パネル据付手段を結合して取り付けたものであり、パネル据付手段を容易に、かつ、外れにくく取り付けることができるという作用を有する。
【００４３】
また請求項６記載の発明は、スプリングは開き勝手の弾性力で、天井に取り付けた機器本体側に設けた孔状の係合部に係合し、前記スプリングを固定する据付手段固定部と落下防止手段をパネルの天井側面に備え、前記据付手段固定部の鉛直上部に前記落下防止手段を配置したものであり、据付手段固定部が破損した時、パネルが落下防止手段まで移動して支えられるため、明らかに破損していることがわかる状態でパネルは保持されることにより、使用者がパネルの異常を認識することができ、パネル落下による怪我等を抑制することができるという作用を有する。
【００４４】
また請求項７記載の発明は、据付手段固定部はＴ字の形状であり、３カ所の先端部に設けたボス固定用穴をネジで固定するとともに、落下防止手段は、前記Ｔ字の２ヶ所で引っかかるように配置したものであるので、３点留めとなることで据付手段固定部の安定性が増し、また応力が分散されるため応力クラックの入りづらいパネル構造とすることができる。さらに、落下防止手段は、前記Ｔ字の２ヶ所で引っかかるように配置したものであるので、据付手段固定部が落下防止手段に引っかかることによりパネルは不安定な状態で保持されることとなり、使用者がパネルの異常に気づくこととなる。
【００４５】
また請求項８記載の発明は、パネル据付手段が少なくとも２以上備えたものであり、据付手段固定部を２以上揃えたことにより、パネル設置時の安定性・応力集中を軽減でき、据付手段固定手段が破損しても引掛けつめにより確実にパネル落下は阻止することができるという作用を有する。
【００４６】
また請求項９記載の発明は、落下防止手段はパネルに設けた引掛け爪であり、据付手段固定部の鉛直上部に前記落下防止手段を少なくとも２以上備えたものであり、据付手段固定具が破損してもパネルが複数の引掛けつめに受け止めることができるという作用を有する。
【００４７】
以下、本発明の実施の形態について図面を参照しながら説明する。
【００４８】
（実施の形態１）
図３および４に示すように、側壁に換気手段１を設けた前面を開口した箱状で、内部には室内の空気を熱交換する熱交換器２を介して温風を循環する暖房手段３と、室内を加湿する加湿手段４と、これらを制御する制御手段５とにより形成される空調手段６を設けて本体７を形成し、本体７の前面開口には、内側吸込口８と、左右よりフィルター９を挿入するフィルター挿入口１０と、吹き出す風の方向を可変するルーバー１１を有した内側吹出口１２とを設けた内側パネル１３を設ける。
【００４９】
また、図５に示すように内側パネル１３の内側吹出口１２と連通して吹出空気流路１４を形成するように外側吹出口１５を設けた外側パネル１６は、内側パネル１３を覆う形状で備えられている。そして、図１に示すように、外側パネル１６の裏面には、内側パネル１３に取り付けられるように、２又状で外方に開き勝手の開閉自在なパネル据付手段であるスプリング１７を設け、内側パネル１３にはスプリング１７の開き勝手の弾性力で係合する孔状の係合部１８を設けることにより、外側パネル１６は内側パネル１３に保持され、内側パネル１３と外側パネル１６との間に内側吸込口８に連通する吸込空気流路１９を形成する。
【００５０】
また、外側パネル１６は本体７の設けられる天井面２０との間に隙間２１を形成して取り付けられ、外側パネル１６に設けられた外側吹出口１５が吹出口２２として形成され、吹出口２２と異なる面となる吸込空気流路１９を形成する内側パネル１３と外側パネル１６との隙間で形成された端部開口が吸込口２３を形成し、吸込口２３は本体７が設けられる天井面２０と垂直となる外側パネル１６の側方に開口し、吹出口２２を天井面２０と平行となる外側パネル１６の表面となる面２４に設ける。
【００５１】
上記構成において、空気調和装置を天井面２０に設置するときには、天井面２０に本体７をボルト２５で吊り下げ配置し本体７を設置したのち、本体７に内側パネル１３を取り付け、さらに外側パネル１６を外側パネル１６に設けたスプリング１７と内側パネル１３の係合部１８との係合により、天井面２０より一定の隙間２１を確保して取り付けて設置する。
【００５２】
一方、外側パネル１６は外側パネル１６の重心を取る位置に２箇所の据付手段固定部２６を備えた形状であり、据付手段固定部２６は略Ｔ字の形状をした板である。据付手段固定部２６は図２に示すように、Ｔ字の各々３ヵ所の先端部にボス固定用穴２７を備え、Ｔ字形状における片側先端が他方の線と結合する側と対となる開放端２８はボス固定用穴２７より更に開放端側に延長され、延長された開放端は山折・谷折の二つの曲げによる据付手段固定部引掛爪Ａ２９を形成し、一方Ｔ字形状の両端が開放端となる線の片側の開放端３０はボス固定用穴２７より更に開放端側に延長され、延長された開放端は山折・谷折の二つの曲げによる据付手段固定部引掛爪Ｂ３１を形成する構造である。
【００５３】
さらに２又状で外方に開き勝手の開閉自在なスプリング１７は２又形状の支点である箇所にリング形状を有しており、据付手段固定部２６のＴ字形状における片側先端が他方の線と結合する側にスプリング１７のリング形状部を貫通し、外側パネル１６にはボス３２が設けられ、ネジ３３は据付手段固定部２６のボス固定用穴２７を連通してボス３２に固定することにより据付手段固定部２６は外側パネル１６に固定されることとなる。また内側パネル１３はスプリング１７の開き勝手の弾性力で係合する孔状の係合部１８を設けることにより、スプリング１７の弾力性により外側パネル１６が内側パネル１３に保持される。一方、スプリング１７は据付手段固定部２６のＴ字形状における片側先端が他方の線と結合する側に貫通しているため、貫通部に沿って自在に動くものである。
【００５４】
外側パネル１６は据付手段固定部２６の据付手段固定部引掛爪Ａ２９および据付手段固定部引掛爪Ｂ３１の外側パネル取り付け時鉛直下方向に落下防止手段としてＬ字型の引掛爪３４を備えている。引掛爪３４は据付手段固定部２６と空間をもって配置されている。引掛爪３４の引掛部３５は据付手段固定部引掛爪Ａ２９および据付手段固定部引掛爪Ｂ３１に対して十分に大きなものであり、引掛爪３４の突出した部分の両端面には落下抑制板３６が設けられている。裏面より外側パネル１６を見ると据付手段固定部引掛爪Ａ２９および据付手段固定部引掛爪Ｂ３１の先端部は引掛爪３４と落下防止抑制板３６により隠れて見えない配置となる。このため外側パネル１６の裏面に配置された据付手段固定部２６を固定しているネジ３３の応力あるいは薬品等の付着あるいは経年変化等によりボス３２にクラック等が入りネジ３３が欠損した場合でも、据付手段固定部引掛爪Ａ２９および据付手段固定部引掛爪Ｂ３１は引掛爪３４と落下防止抑制板３６により形成された空間に納まり落下しないこととなる。またボス３２が総て破損した場合、２箇所に設けられた据付手段固定部２６は各々据付手段固定部引掛爪Ａ２９および据付手段固定部引掛爪Ｂ３１がボス３２と距離をおいて設けられた引掛爪３４に引っかかることにより外側パネル１６は落下しない。また据付手段固定部２６はＴ字の形状をしておりまた引掛爪３４に引っかかる個所は据付手段固定部引掛爪Ａ２９および据付手段固定部引掛爪Ｂ３１の２箇所のため外側パネル１６は不安定な状態で保持されることとなり、使用者が容易にパネルの異常に気づくこととなる。このためその後の経年変化等で引掛爪３４が破損し外側パネル１６が落下することにより、怪我等の重大な事故を未然に防げることとなる。
【産業上の利用可能性】
【００５５】
広く空調で使用されている天井取り付け形の換気扇、天井取り付け形のエアコンの用途にも適用できる。
【符号の説明】
【００５６】
１６    外側パネル
１７    スプリング
１８    係合部
２０    天井面
２６    据付手段固定部
２７    ボス固定穴
２９    据付手段固定部引掛爪Ａ
３１    据付手段固定部引掛爪Ｂ
３２    ボス
３３    ネジ
３４    引掛爪
３５    引掛部
３６    落下防止抑制板
【図１】
0004661389.tif 000002
【図２】
0004661389.tif 000003
【図３】
0004661389.tif 000004
【図４】
0004661389.tif 000005
【図５】
0004661389.tif 000006
【図６】
0004661389.tif 000007
【図７】
0004661389.tif 000008